(57)【要約】【課題】光に奥行き感（立体感）を持たせることで視認性を向上すると共に、光が屈折する際に一部の光を拡散させることで光に変化を持たせ意匠性を向上することを目的とする。【解決手段】光源４０と、光源４０の光を導光する導光体５０と、導光体５０の背面に設けられ導光体５０から出射した光を反射するリフレクタ６０を備える車両用灯具１０であって、導光体５０の車両用灯具前面部に、光源４０の光をリフレクタ６０側に反射させる溝部５１ａを、光源４０から導光体５０端部に向けて一定の距離毎に設ける。【選択図】図２
2012178322.tif 000002
【特許請求の範囲】
【請求項１】
光源と、
該光源の光を導光する導光体と、
該導光体の背面に設けられ導光体から出射した光を反射するリフレクタを備える車両用灯具であって、
前記導光体の車両用灯具前面部に、前記光源の光を前記リフレクタ側に反射させる溝部を、前記光源から導光体の端部に向けて一定距離毎に設けることを特徴とする車両用灯具。
【発明の詳細な説明】
【技術分野】
【０００１】
本発明は、自動車等の車両に備えられる車両用灯具に関する。
【背景技術】
【０００２】
従来、発光ダイオード等の光源が発光する光を導光体に入射し、この導光体の周面から前方へ出射させる車両用灯具において、例えば、特許文献１に記載する車両用灯具が提案されている。この車両用灯具は、光源と、光源からの出射光を一端面から入射させて周面から前方へ向けて出射させる導光柱とを備えており、導光柱の周面における後面部に、導光柱の軸線方向と直行する方向に延びる複数のノッチを、一端面から所定の距離離れた位置から導光柱の他端面側へ向けて、導光柱の軸線方向に鋸歯状に形成している。この様に構成する車両用灯具は、光源が発光する光を複数のノッチで光の反射方向を揃えて導光柱の周面から前方へ明るい光を出射しているため、歩行者等から視認性が高いものである。
【先行技術文献】
【特許文献】
【０００３】
【特許文献１】特開２０１１−００３２８１
【発明の概要】
【発明が解決しようとする課題】
【０００４】
しかし、上記に記載する車両用灯具が前方へ出射する光は、明るい光を出射するために光源からの光を導光体のみで反射する構造となっていることから、光に奥行き感（立体感）を持たせることは困難であると考える。また、導光体から出射する光は、視覚的に長尺状の一様の光であることから変化性の乏しい光であると考えるため、意匠性を向上することは困難であると考える。
【０００５】
本発明は、上記の課題を解決するためになされたものであって、光に奥行き感（立体感）を持たせることで視認性を向上すると共に、光が屈折する際に一部の光を拡散させることで光に変化を持たせ意匠性を向上することを目的とする。
【課題を解決するための手段】
【０００６】
請求項１の発明は、光源と、光源の光を導光する導光体と、導光体の背面に設けられ導光体から出射した光を反射するリフレクタを備える車両用灯具であって、導光体の車両用灯具前面部に、光源の光をリフレクタ側に反射させる溝部を、前記光源から導光体の端部に向けて一定距離毎に設けることを技術的特長とする。
【発明の効果】
【０００７】
請求項１記載の車両用灯具によれば、光源が発光する光を導光体の溝部と導光体から出射した光をリフレクタで反射することにより、光に奥行き感（立体感）を持たせることが可能であると共に、反射する際に光の一部を拡散することで光に変化を持たせることが可能であるため、視認性と意匠性を向上することができる。
【図面の簡単な説明】
【０００８】
【図１】本発明に係わる車両用灯具を示す図である。
【図２】図１におけるＩの拡大図を示す。
【発明を実施するための最良の形態】
【０００９】
以下に、本発明の実施形態について図面を用いて説明する。
本発明の車両用灯具１０は、車両の両側に有するサイドミラーに取付けられるサイドターンランプであって、図１に示すように、サイドミラーに組付けられるハウジング２０と、ハウジング２０を覆うレンズ３０と、レンズ３０とハウジング２０との間の空間に配設され通電することで発光する光源４０と、光源４０が発光する光を導光すると共に導光した光の一部を外周面から出射する導光体５０と、導光体５０から出射した光を反射するリフレクタ６０とで構成されている。
【００１０】
ハウジング２０は、ドアミラーに組付けられる部品であって、ドアミラーの形状に倣って長手方向に湾曲した形状をなしており、後述する光源４０と導光体５０とリフレクタ６０を収納可能に凹部２０ａが形成されている。このハウジング２０の凹部は、光源４０を備える光源支持部材４１を保持する取付け部２１と、導光体５０を固定する固定部２２とを備える。
【００１１】
取付け部２１は、光源４０を備える光源支持部材４１を保持する突起であって、ハウジング２０に形成される凹部の底面部に隆起するように突起を設けることで、振動などにより光源支持部材４１が動くことのないように保持する。ここで、取付け部２１は、凹部の底面部から隆起するような構造としたが、本発明はこれに限らず、溝部を形成して光源支持部材４１を保持する構造であってもよい。
【００１２】
固定部２２は、導光体５０の両端を固定するものであって、ハウジング２０に形成される。この固定部２２は、一端を光源付近に光源４０の発光する光が導光体５０に入射可能に形成する。
【００１３】
レンズ３０は、ハウジング２０の凹部に収納する光源４０と導光体５０とリフレクタ６０を保護すると共に、サイドターンランプの装飾性を向上するものであって、半透明な熱可塑性樹脂で形成されており、ハウジング２０の形状に倣って湾曲した形状をなしており、ハウジング２０を覆うように設ける。
【００１４】
光源４０は、レンズ３０とハウジング２０との間の空間に後述する光源支持部材４１を介してハウジング２０に固定される発光ダイオード（ＬＥＤ）４０ａであって、後述する導光体５０に光を入射可能に備える。ＬＥＤ４０ａは、本実施例において導光体５０の端部付近に設けてあって、発光することで導光体５０に光を入射する。このＬＥＤ４０ａが発光する光は、導光体５０に入射すると導光体５０に有する溝部と後述するリフレクタ６０により反射されることでレンズ方向（車両用灯具正面方向）へ出射する。ここで、光源４０は、本実施例においてＬＥＤ４０ａを使用するが、本発明はこれに限らず、ガラスの球殻に発光素子を封入し電気により発光する電球であっても良い。
【００１５】
光源支持部材４１は、薄い帯状の基板本体４１ａと、基板本体４１ａの一方側の面（表面）に固着された光源４０（ＬＥＤ）４０ａと、ＬＥＤ４０ａに電力を供給するリード線４1ｂ（図示しない）と、リード線４１ｂを固定するコネクタ４０ｃ（図示しない）とを備え、基板本体４１ａがハウジング２０に有する取付け部２１に固定される。ここで、光源支持部材４１は、光源４０が電球であった場合、電球を固定可能なソケットであっても良い。
【００１６】
導光体５０は、光源４０（ＬＥＤ４０ａ）が発光する光を導光すると共に、導光した光の一部を外周面から出射するものであって、透明部材（アクリル樹脂、ポリカーボネート樹脂等）からなり、ドアミラーの形状に倣って長手方向に延出しており、ハウジング２０に形成する固定部２２に両端を固定している。導光体５０は、断面を円形に形成されているが、その外周面における前面部５１には、径内方向へ延びる溝部５１ａが設けられている。この溝部５１ａは、ＬＥＤ４０ａから所定の距離離れた位置から他方の導光体５０端部に向けて、一定の距離毎に複数配設されており、ＬＥＤ４０ａの発光する光を後述するリフレクタ６０側に備える導光体５０の後面部５２へ反射可能に略楔形状に形成する。ここで導光体５０は、溝部５１ａを備える前面部５１に拡散反射材料５１ｂが塗布又は一体に形成されており、光源４０の発光する光が前面部５１に入射すると、光を反射する際に一部の光を拡散して後面部５２方向に反射する。この拡散反射材料５１ｂは、導光体５０の直径に比べ短いものとする。
【００１７】
また導光体５０は、外周面の後面部５２から入射した光を前面部５１から出射可能にすると共に、外周面の後面部５２から入射した光を前面部５１に有する溝部５１ａで後面部５２方向に反射可能とする。これは導光体５０に入射する光の入射角と導光体の材質によって、導光体５０内側に入射した光を前面部５１から出射するか、導光して溝部５１ａで反射させて再び後面部５２から出射することが可能であって、リフレクタ６０により反射された光を前面部５１から出射し、車両用灯具１０に複数の光源を有する場合において導光体５０内側に入射する光を前面部５１の溝部５１ａで後面部５２から出射する。導光体５０は、本実施例においては、光源４０が発光する光を導光体５０の端部から導光体５０内部へ入射した場合について説明する。
【００１８】
リフレクタ６０は、導光体５０の後面部５２から出射した光源４０の光をレンズ３０方向（車両用灯具正面方向）に反射するためのものであって、光沢塗装又はメッキ等を施した樹脂材料や、鏡面仕上げを施したアルミニウムなどの金属材料とする。このリフレクタ６０は、ハウジング２０の凹部に沿うように取付けられる。ここで、リフレクタ６０は導光体５０の後面部５２から出射した光を反射する面に、光を拡散反射可能にする拡散反射材料６１を塗布する。リフレクタ６０は、導光体５０の後面部５２から出射した光源４０の光を入射すると、光を反射する際に光の一部を拡散して車両用灯具正面方向に反射する。このリフレクタ６０は、本実施例において、光を反射する面に拡散反射材料６１を塗布するが、本発明はこれに限らず、光源４０の光を車両用灯具正面方向に全反射する構造であっても良い。
【００１９】
以下に本発明の車両用灯具に備える光源４０（ＬＥＤ４０ａ）が発光する光に奥行き感（立体感）を持たせる手順について説明する。
車両用灯具１０は、図２に示すように、ＬＥＤ４０ａを発光することで導光体５０内側に光を入射する。この導光体５０内側に入射した光は、導光体５０の前面部５１では略全部の光が反射され、導光体５０の後面部５２では全部の光が反射されることで、ＬＥＤ４０ａ側の導光体５０端部から他方の導光体５０端部まで導光される。ここで、導光体５０の前面部５１に照射された光は、前面部５１に入射すると拡散反射材料５１ｂにより一部の光が拡散されるが、多くの光は導光体５０の内側で反射する。
【００２０】
ＬＥＤ４０ａの発光する光は、導光体５０内側を導光する際に前面部５１に有する溝部５１ａに入射されることで、導光体５０の後面部５２方向に反射され後面部５２から出射する。この溝部５１ａに入射する光は、拡散反射材料５１ｂにより一部の光が拡散され後面部５２に反射される。ここで溝部５１ａに入射する光は、例えば、一度ＬＥＤ４０ａ付近の後面部５２において反射され、所定の角度で溝部に入射された場合、光が屈折することで前面部５１から導光体５０他端部方向へ出射した後、再度導光体５０内側に入射し前面部５１内側と溝部５１ａとで反射され後面部５２から出射することもある。
【００２１】
導光体５０の後面部５２から出射した光は、リフレクタ６０に照射されるまで直進する。ここで、導光体５０の後面部５２から出射した光は、リフレクタ６０に照射されると、拡散反射材料６１により一部の光が拡散して車両用灯具正面方向に反射される。
【００２２】
リフレクタ６０により反射された光は、再度導光体５０に入射することになるが前面部５１から出射することにより透過して車両用灯具正面方向に照射することになる。
【００２３】
上記に記載するように、発光するＬＥＤ４０ａから出射した光は車両用灯具正面方向に照射するまでに、導光体５０及びリフレクタ６０で反射することで光に奥行き感（立体感）を持たせることが可能であり、反射する際に光の一部を拡散することで光に変化をもたせることが可能であるため、歩行者等からの視認性および意匠性が向上する。
【符号の説明】
【００２４】
１０  車両用灯具
２０  ハウジング
３０  レンズ
４０  光源
５０  導光体
５１  前面部
５１ａ  溝部
５１ｂ  拡散反射材
５２  後面部
６０  リフレクタ
６１  拡散反射材
【図１】
2012178322.tif 000003
【図２】
2012178322.tif 000004